(57)【要約】インターネット（６）に接続されたサーバ（７）と、複数のデータ取得対象装置（１）と、データ取得対象装置に接続可能な複数のデータ転送装置（３）とを備え、データ転送装置によりデータ取得対象装置から取得した装置データを、携帯電話（５）を用いインターネットを経由してサーバに転送するデータ収集システム。データ転送装置は、データ取得対象装置から装置データを取得するデータ取得部（１３）と、装置データに送信命令データを併せて転送データを作成し、その転送データを携帯電話に転送するデータ転送部（１４）と、装置データを取得する動作及び転送データを転送する動作を実行させる制御部（１５）とを備える。送信命令データは、装置データを所定のサーバに送信する動作を、携帯電話に行わせる命令に対応する。
2004104965.tif 000002
【特許請求の範囲】
【請求項１】
インターネットに接続されたサーバと、複数のデータ取得対象装置と、前記各データ取得対象装置に各々接続可能な複数のデータ転送装置とを備え、前記データ転送装置により前記データ取得対象装置から取得した装置データを、携帯電話を用い前記インターネットを経由して前記サーバに転送するように構成されたデータ収集システムにおいて、
前記データ転送装置は、
前記データ取得対象装置から前記装置データを取得するデータ取得部と、
前記装置データに送信命令データを併せて転送データを作成し、その転送データを前記携帯電話に転送するデータ転送部と、
前記データ取得部による前記装置データを取得する動作及び前記データ転送部による前記転送データを転送する動作を実行させる制御部とを備え、
前記送信命令データは、前記携帯電話に、インターネットを経由して前記装置データを所定のサーバに送信する動作を行わせる命令に対応するデータであることを特徴とするデータ収集システム。
【請求項２】
前記データ転送装置は、始動スイッチを備え、前記始動スイッチの操作により、前記制御部が前記データ取得部及び前記データ転送部の前記動作を開始させる請求項１記載のデータ収集システム。
【請求項３】
前記データ転送装置は、前記データ転送装置を相互に識別するためのシリアルナンバーが格納されたメモリをさらに具備し、前記データ転送部は、前記装置データに前記シリアルナンバーを付加して前記サーバに送信するデータを作成する請求項１または２記載のデータ収集システム。
【請求項４】
前記データ転送部は、前記携帯電話を動作させるためのキーボードエミュレーション形式に従ってデータをエミュレーションコードに変換するエミュレータを備え、前記転送データを前記エミュレーションコードに変換して転送する請求項１〜３のいずれか１項に記載のデータ収集システム。
【請求項５】
前記データ転送部は、データ作成部と転送処理部とを有し、前記データ作成部では、前記装置データ及び前記送信命令データを含むデータを作成して前記転送処理部に供給し、前記転送処理部では、前記データ作成部から供給されたデータを前記エミュレーションコードに変換してデータ転送端子から出力する請求項４記載のデータ収集システム。
【請求項６】
前記制御部は、前記データ取得対象装置及び前記携帯電話との接続状態の良否を検出する機能を有し、前記制御部により制御される点滅状態により前記接続状態の良否を示す表示部が設けられた請求項１記載のデータ収集システム。
【請求項７】
前記データ取得対象装置は、医療機器、電気の消費量を測定する電気メータ、水道水の消費量を測定する水道メータ、ログデータを出力可能な生産設備、または動作状態を示すデータを出力可能な家電製品である請求項１記載のデータ収集システム。
【請求項８】
前記医療機器は、血圧計、脈拍計、または血糖値計である請求項７記載のデータ収集システム。
【請求項９】
前記データ取得対象装置は医療機器であり、
前記携帯電話によって、前記患者が所定の薬剤を服用したか否かを示す服薬有無情報を前記サーバへ送信可能であり、
前記サーバは、前記服薬有無情報を蓄積し、前記服薬有無情報に基づいて前記服用薬の服用に関する警告メールを前記携帯電話へ送信する服薬状況判定部を備えた請求項７に記載のデータ収集システム。
【請求項１０】
前記服薬状況判定部は、服薬率が所定の割合未満であるとき、または所定の日数連続して服薬していないときに前記警告メールを送信する請求項９に記載のデータ収集システム。
【請求項１１】
前記サーバに蓄積されたデータを分析するために前記インターネットに接続されたドクター用コンピュータをさらに具備し、
前記データ取得対象装置は、患者の血圧を測定するための血圧計を含み、前記データは、前記血圧計によって測定された血圧データを含み、
前記サーバは、前記血圧データが異常であるときに異常報告メールを前記ドクター用コンピュータへ送信する異常血圧値処理部を含み、
前記ドクター用コンピュータは、前記異常報告メールに基づいて前記異常血圧値処理部へ処置指示を送信し、
前記異常血圧処理部は、前記処置指示に基づいて処置指示メールを前記携帯電話へ送信する請求項１に記載のデータ収集システム。
【請求項１２】
前記異常血圧処理部は、予め用意された複数種類の処置指示メールのうちの１つを前記携帯メールへ送信する請求項１１に記載のデータ収集システム。
【請求項１３】
前記処置指示メールは、前記患者が服用すべき服用薬の服用量の変更を指示する記載を含む請求項１１に記載のデータ収集システム。
【請求項１４】
前記サーバに蓄積されたデータを分析するために前記インターネットに接続されたドクター用コンピュータをさらに具備し、
前記データ取得対象装置は、患者の血圧を測定するための血圧計を含み、前記データは、前記血圧計によって測定された血圧データを含み、
前記携帯電話から、前記患者の有害症状を示す有害症状情報を前記サーバへ送信可能であり、
前記サーバは、前記有害症状情報に基づいて有害症状報告を前記ドクター用コンピュータへ送信する有害症状処理部を含み、
前記ドクター用コンピュータは、前記有害症状報告に基づいて処置指示を前記有害症状処理部へ送信し、
前記有害症状処理部は、前記処置指示に基づいて処置指示メールを前記携帯電話へ送信する請求項１に記載のデータ収集システム。
【請求項１５】
インターネットに接続されたサーバと、複数のデータ取得対象装置と、前記各データ取得対象装置に各々接続可能な複数のデータ転送装置と、前記インターネットに接続可能な携帯電話とを用い、前記データ取得対象装置から各々取得される装置データを、携帯電話から前記インターネットを経由して前記サーバに転送することによりデータを収集する方法において、
前記データ転送装置は、
前記データ取得対象装置から前記装置データを取得するデータ取得部と、
前記装置データに送信命令データを併せて転送データを作成し、その転送データを前記携帯電話に転送するデータ転送部と、
前記データ取得部による前記装置データを取得する動作及び前記データ転送部による前記転送データを転送する動作を実行させる制御部とを備え、
前記送信命令データは、前記携帯電話に、インターネットを経由して前記装置データを所定のサーバに送信する動作を行わせる命令に対応するデータであることを特徴とするデータ収集方法。
【発明の詳細な説明】
【技術分野】  本発明は、例えば血圧計から得られる装置データを、インターネットを経由して収集するためのデータ収集システム、およびデータ収集方法に関する。
【背景技術】  図８は、従来の装置データ収集システムの構成を模式的に示す図である。このデータ収集システムは、患者の血圧を測定するための血圧計３１と、パーソナルコンピュータ３２と、インターネット３３に接続された血圧データを蓄積するためのサーバ３４とから構成されている。
血圧計３１は、シリアルケーブル３５を介してパーソナルコンピュータ３２に接続される。パーソナルコンピュータ３２は、インターネット３３を経由してサーバ３４と接続可能である。このデータ収集システムにより、血圧計３１によって測定された患者の血圧を示す血圧データを、サーバ３４に蓄積することができる。
このように構成されたデータ収集システムにおいては、血圧計３１によって患者の血圧が測定されると、測定された血圧を示す血圧データは、シリアルケーブル３５を通ってパーソナルコンピュータ３２へ転送される。パーソナルコンピュータ３２へ転送された血圧データは、インターネット３３を経由してサーバ３４に蓄積される。
このデータ収集システムにより、遠隔地に居住する患者の血圧データを収集することが容易になり、遠隔地に居住する患者の血圧に関連する健康状態を医師が診断することができる（例えば、特開２００２−３５５３０５号公報参照）。
しかしながら、このようなデータ収集システムの構成では、血圧計３１によって測定された患者の血圧データをサーバ３４へ転送するためには、パーソナルコンピュータ３２を操作してインターネット３３に接続する必要がある。パーソナルコンピュータ３２は、電源をオンにしてから操作可能な状態になるまでの起動時間が長く、また血圧データをサーバ３４へ転送するためのソフトウェアを動作させるために、マウスおよびキーボード等の入力機器の操作が煩雑である。
このようなデータ収集システムを利用して診断を受ける患者は、パーソナルコンピュータ等の操作に習熟していない高齢者である場合が多く、操作が煩雑であることは影響が大きい。そのため、遠隔地に居住する患者が、自らの血圧データをインターネット３３を経由してサーバ３４に転送することが困難であるという問題があった。
【発明の開示】
本発明は、遠隔地に設けられた血圧計等の装置から取得される血圧データ等の装置データを、インターネットに接続されたサーバへ容易に転送することを可能とするデータ収集システムを提供することを目的とする。
本発明のデータ収集システムは、インターネットに接続されたサーバと、複数のデータ取得対象装置と、前記各データ取得対象装置に各々接続可能な複数のデータ転送装置とを備え、前記データ転送装置により前記データ取得対象装置から取得した装置データを、携帯電話を用い前記インターネットを経由して前記サーバに転送するように構成される。前記データ転送装置は、前記データ取得対象装置から前記装置データを取得するデータ取得部と、前記装置データに送信命令データを併せて転送データを作成し、その転送データを前記携帯電話に転送するデータ転送部と、前記データ取得部による前記装置データを取得する動作及び前記データ転送部による前記転送データを転送する動作を実行させる制御部とを備える。前記送信命令データは、前記携帯電話に、インターネットを経由して前記装置データを所定のサーバに送信する動作を行わせる命令に対応するデータである。
本発明のデータ収集方法は、インターネットに接続されたサーバと、複数のデータ取得対象装置と、前記各データ取得対象装置に各々接続可能な複数のデータ転送装置と、前記インターネットに接続可能な携帯電話とを用い、前記データ取得対象装置から各々取得される装置データを、携帯電話から前記インターネットを経由して前記サーバに転送することによりデータを収集する方法である。上記本発明のデータ収集システムにおいて用いられるのと同様の、前記データ転送装置を用いることを特徴とする。
【図面の簡単な説明】  図１は、本発明の実施の形態におけるデータ収集システムの構成を模式的に示すブロック図である。
図２は、同システムの構成に用いられるデータ転送装置の構成を示すブロックである。
図３は、同データ転送装置の外観を示す斜視図である。
図４は、本実施の形態におけるデータ収集システムのサーバに蓄積された血圧データ等を、グラフによって表示した画面を示す図である。
図５は、同データ収集システムのサーバに蓄積された血圧データ等の数値を表示した画面を示す図である。
図６は、同データ収集システムの血圧計を使用する患者のデータを表示した画面を示す図である。
図７は、同データ収集システムの血圧計を使用する患者のリストを表示した画面を示す図である。
図８は、従来のデータ収集システムの構成を模式的に示す図である。
【発明を実施するための最良の形態】  本発明のデータ収集システムによれば、遠隔地に設けられた血圧計等の装置により取得された装置データを、携帯電話からインターネットを経由して、所定のサーバへ容易に収集することができる。
前記データ転送装置は、始動スイッチを備え、前記始動スイッチの操作により、前記制御部が前記データ取得部及び前記データ転送部の前記動作を開始させる構成とすることができる。
好ましくは、前記データ転送装置は、前記データ転送装置を相互に識別するためのシリアルナンバーが格納されたメモリをさらに具備し、前記データ転送部は、前記装置データに前記シリアルナンバーを付加して前記サーバに送信するデータを作成する。
また、前記データ転送部は、前記携帯電話を動作させるためのキーボードエミュレーション形式に従ってデータをエミュレーションコードに変換するエミュレータを備え、前記転送データを前記エミュレーションコードに変換して転送する構成とすることができる。
この構成において、前記データ転送部は、データ作成部と転送処理部とを有し、前記データ作成部では、前記装置データ及び前記送信命令データを含むデータを作成して前記転送処理部に供給し、前記転送処理部では、前記データ作成部から供給されたデータを前記エミュレーションコードに変換してデータ転送端子から出力する構成とすることができる。
また上記構成において、前記制御部は、前記データ取得対象装置及び前記携帯電話との接続状態の良否を検出する機能を有し、前記制御部により制御される点滅状態により前記接続状態の良否を示す表示部が設けられてもよい。
前記データ取得対象装置は、医療機器、電気の消費量を測定する電気メータ、水道水の消費量を測定する水道メータ、ログデータを出力可能な生産設備、または動作状態を示すデータを出力可能な家電製品とすることができる。前記医療機器は、血圧計、脈拍計、または血糖値計とすることができる。
また、前記データ取得対象装置は医療機器であり、前記携帯電話によって、前記患者が所定の薬剤を服用したか否かを示す服薬有無情報を前記サーバへ送信可能であり、前記サーバは、前記服薬有無情報を蓄積し、前記服薬有無情報に基づいて前記服用薬の服用に関する警告メールを前記携帯電話へ送信する服薬状況判定部を備えた構成とすることができる。
また、前記服薬状況判定部は、服薬率が所定の割合未満であるとき、または所定の日数連続して服薬していないときに前記警告メールを送信する構成とすることができる。
また、上記構成において、前記サーバに蓄積されたデータを分析するために前記インターネットに接続されたドクター用コンピュータをさらに具備し、前記データ取得対象装置は、患者の血圧を測定するための血圧計を含み、前記データは、前記血圧計によって測定された血圧データを含み、前記サーバは、前記血圧データが異常であるときに異常報告メールを前記ドクター用コンピュータへ送信する異常血圧値処理部を含み、前記ドクター用コンピュータは、前記異常報告メールに基づいて前記異常血圧値処理部へ処置指示を送信し、前記異常血圧処理部は、前記処置指示に基づいて処置指示メールを前記携帯電話へ送信する構成とすることができる。
この構成において、前記異常血圧処理部は、予め用意された複数種類の処置指示メールのうちの１つを前記携帯メールへ送信する構成とすることができる。また、前記処置指示メールは、前記患者が服用すべき服用薬の服用量の変更を指示する記載を含むことができる。
また、上記構成において、前記サーバに蓄積されたデータを分析するために前記インターネットに接続されたドクター用コンピュータをさらに具備し、前記データ取得対象装置は、患者の血圧を測定するための血圧計を含み、前記データは、前記血圧計によって測定された血圧データを含み、前記携帯電話から、前記患者の有害症状を示す有害症状情報を前記サーバへ送信可能であり、前記サーバは、前記有害症状情報に基づいて有害症状報告を前記ドクター用コンピュータへ送信する有害症状処理部を含み、前記ドクター用コンピュータは、前記有害症状報告に基づいて処置指示を前記有害症状処理部へ送信し、前記有害症状処理部は、前記処置指示に基づいて処置指示メールを前記携帯電話へ送信する構成とすることができる。
以下、本発明の実施の形態について、図面を参照して具体的に説明する。
図１は、本実施の形態におけるデータ収集システムの構成を模式的に示す。このデータ収集システムは、複数の血圧計１から、各患者の血圧をそれぞれ測定した血圧データを収集するためのシステムである。各血圧計１には、シリアルケーブル２を介してデータ転送装置３がそれぞれ接続される。各データ転送装置３は、転送ケーブル４を介して携帯電話５に接続される。各携帯電話５は、インターネット６に接続可能である。
データ収集システムはさらに、各血圧計１によって測定された血圧データを蓄積するためにインターネット６に接続されたサーバ７と、インターネット６に接続可能なドクター用コンピュータ８とを含む。ドクター用コンピュータ８は、サーバ７に蓄積された血圧データを医師が分析するために設けられる。
サーバ７には、服薬症状判定部７ａ、異常血圧値処理部７ｂ、及び有害症状処理部７ｃが設けられている。服薬症状判定部７ａは、血圧計１を使用する患者が所定の薬剤を服用したか否かの服薬有無情報に基づいて、薬剤の服用に関する警告メールを携帯電話５へ送信する。そのために患者は、携帯電話５を用いて服薬有無情報をサーバ７に送信し、サーバ７は服薬有無情報を蓄積する。異常血圧値処理部７ｂは、血圧計１によって測定され携帯電話５を介して転送された患者の血圧データに異常があるときに、異常報告メールをドクター用コンピュータ８へ送信する。有害症状処理部７ｃは、携帯電話５から送信される患者の有害症状を示す有害症状情報に基づいて、有害症状報告をドクター用コンピュータ８へ送信する。
図２は、本実施の形態におけるデータ収集システムに用いられるデータ転送装置３の構成、および血圧計１、携帯電話５との接続構造を示すブロック図である。データ転送装置３は、シリアルケーブル２の一端と接続されるシリアル端子９、及び転送ケーブル４の一端と接続される転送端子１０を備えている。シリアルケーブル２の他端は、血圧計１に設けられたシリアル端子１１と接続される。転送ケーブル４の他端は、携帯電話５の端子１２と接続される。各ケーブルと端子とは、接続・分離が自在である。
データ転送装置３は、主要な要素として、データ取得部１３、データ転送部１４、及び制御部１５を有する。それらの要素は、マイクロプロセッサにより構成することができる。データ取得部１３には、シリアル端子１１、シリアルケーブル２、及びシリアル端子９を介して、血圧計１の出力が供給される。データ取得部１３の出力は、データ転送部１４に供給される。データ転送部１４の出力は、転送端子１０、転送ケーブル４、及び転送端子１２を経由して携帯電話５に供給される。制御部１５は、データ取得部１３及びデータ転送部１４の動作を制御する。
制御部１５には、押しボタンスイッチ６が接続され、その操作により、制御部１５は、データ取得部１３とデータ転送部１４による一連の動作が開始されるように制御する。制御部１５には、シリアル端子９及び転送端子１０が接続され、シリアルケーブル２の接続状態と転送ケーブル４の接続状態の良否を判定する。判定方法は通常のどのような方法を用いてもよいので、具体的な説明は省略する。判定結果は、ランプ１７により示される。
データ取得部１３は、制御部１５による制御により始動し、血圧計１から、測定された血圧データ、および血圧を測定した日時を特定するデータを含む血圧計データを取得してデータ転送部１４に供給する。
データ転送部１４は、データ作成部１８及び転送処理部１９を含む。データ転送部１４にはメモリ２０が接続され、メモリ２０には、各データ転送装置３を識別するためのシリアルナンバー、及び送信命令データが格納されている。データ作成部１８は、データ取得部１３から得られる血圧計データに、メモリ２０から得られるシリアルナンバー及び送信命令データを付加して転送データを作成し、転送処理部１９に供給する。転送処理部１９では、キーボードエミュレーション形式に従って、転送データを、携帯電話５のキーなどを押した状態を表すエミュレーションコードに変換して携帯電話５に転送する。
携帯電話５では、転送されたデータに含まれる送信命令データに基づき、インターネット６への接続処理と、血圧計データ及びシリアルナンバーをサーバ７へ送信する処理が行われる。その結果、携帯電話５からインターネット６を経由して、サーバ７へ血圧計データ及びシリアルナンバーが転送される。
携帯電話５からの転送処理は、例えば、インターネットのＰＯＳＴ／ＧＥＴメソッドに基づいて行われる。そのため、データ転送装置３のメモリ２０に格納される送信命令データには、携帯電話５のメニュー選択、インターネットに接続するための携帯電話５の機能の起動及び接続、転送すべきサーバのＵＲＬ入力に関するデータが含まれる。転送処理部１９では、それらの送信命令データと、血圧計データ数値及びシリアルナンバーを、エミュレーションコードに変換して出力する。なお、携帯電話５がエミュレータを有する場合は、転送処理部１９による変換処理は不要である。
データ転送装置３に設けられた電源２１は、例えば乾電池によって構成されており、データ取得部１３、データ転送部１４、制御部１５、ランプ１７およびメモリ２０が動作するための電圧を供給する。
図３は、本実施の形態に係るデータ転送装置３の外観を示す斜視図である。データ転送装置３は、略直方体形状をしており、その上面の中央に、楕円形状をした押しボタンスイッチ１６が設けられている。押しボタンスイッチ１６の隣には、三日月形状をしたランプ１７が設けられている。
以上のように構成されたデータ収集システムの動作について、以下に説明する。データ転送装置３の電源がオンされると、制御部１５は、シリアルケーブル２及び転送ケーブル４の接続状態の良否を検出する。接続状態が良好であるときはランプ１７を点灯させ、シリアルケーブル２、または転送ケーブル４のいずれかの接続状態が不良であるときは、ランプ１７を点滅させる。それにより、シリアルケーブル２または転送ケーブル４の接続状態を修正することができ、接続不良を原因とする血圧計データの転送エラーを防止することができる。
次に、押しボタンスイッチ１６が患者によって押下されると、データ取得部１３は、血圧計１によって測定された血圧計データを、シリアル通信によって取得する。取得された血圧計データは、データ転送部１４に供給される。
次に、データ転送部１４では、まずデータ作成部１８により、メモリ２０に格納されたシリアルナンバー及び送信命令データを血圧計データに付加して、転送処理部１９に供給する。転送処理部１９では、携帯電話５のキーボードエミュレーション形式に従ってデータを変換し、携帯電話５に転送する。
携帯電話５は、データ転送部１４から受け取った転送データ中の送信命令データに従い、インターネット６と接続するための動作、血圧計データおよびシリアルナンバーを、インターネット６を介してサーバ７へ送信する動作を行う。そして、サーバ７は、各携帯電話５から送信された血圧計データおよびシリアルナンバーを受信して蓄積する。
以上の結果、ドクター用コンピュータ８により、サーバ７に蓄積された血圧計データを、インターネット６を介して取得して分析することが可能となる。
このように、本実施の形態のデータ収集システムによれば、データ転送装置３は、血圧計１によって測定された血圧計データを、携帯電話５から、インターネット６を経由してサーバ７にほぼ自動的に転送する。従って、操作が煩雑なパーソナルコンピュータを使用することなく、血圧計データを簡便に送信することができる。すなわち、データ転送装置３の操作は、シリアルケーブル２及び転送ケーブル４を用いた接続と、押しボタンスイッチ１６のワンプッシュだけであるので、極めて簡単である。
次に、ドクター用コンピュータ８の機能について説明する。ドクター用コンピュータ８により、サーバ７に蓄積された血圧データをインターネット６を介して取得し、分析が行われる。図４は、サーバ７に蓄積された血圧データを、ドクター用コンピュータ８によりグラフで表示した画面を示す。図５は、血圧、体重、脈拍、体重等のデータを数値で表示し、あるいは服用薬剤名等を表示した画面を示す。図６は血圧計１を使用する患者に関して、履歴、病歴、服用履歴等のデータを表示した画面を示す。図７は、このデータ収集システムを利用している患者のリストを表示した画面を示す。
図４および図５に示すように、患者は患者ＩＤによって特定され、年齢、性別、薬剤の服用の開始時期、薬剤のメーカ名、および薬剤の名称が画面に表示される。
図４および図５には、患者ＩＤが０００３０００３である患者の２００３年８月１日７時３７分から８月７日０時４分までのデータが表示されている。図４の折れ線２２上の●は最高血圧データ、折れ線２３上の●は最低血圧データを示す。折れ線２４上の▲は患者の体重データ、■は脈拍データ、及び縦棒２６は摂取した塩分量データを示す。これらのデータは、必要に応じて、携帯電話５に入力してサーバ７へ送信可能なように構成される。また、図５の画面には、図４の画面に示したデータが、数値で表示される。
さらに図４の画面には、１種類の薬剤（薬剤１）が服用され、薬剤のメーカーは「Ａ社」であり、その薬剤名は「アダラート」であることが表示されている。また、薬剤の使用期間は２００３年７月２８日２１時０分４８秒から２００３年１２月１６日１３時４９分５７秒であることが示されている。図４の横棒２８は、薬剤１が服用された期間を示す。
患者が服用すべき薬剤を服用したか否かを示す服薬有無情報は、携帯電話５から入力可能である。入力された服薬有無情報は、携帯電話５からサーバ７に送信される。サーバ７に設けられた服薬状況判定部７ａは、送信された服薬有無情報に基づいて、薬剤の服用に関する警告メールを携帯電話５へ送信する。例えば、服薬率が８０％未満である場合、３日連続して服薬していない場合、あるいは服薬有無情報が３日連続して送信されてない等の場合に、服薬状況判定部７ａは警告メールを送信する。このため、服薬忘れ、勘違い等を患者に気づかせることができる。
サーバ７に設けられた異常血圧値処理部７ｂは、データ転送装置３から携帯電話５を介して送信された血圧データが異常であるときに、異常報告メールをドクター用コンピュータ８へ送信する。ドクター用コンピュータ８からは、異常報告メールに基づいて、異常血圧値処理部７ｂへ処置指示が送信される。異常血圧値処理部７ｂは、ドクター用コンピュータ８から送信された処置指示に基づいて、処置指示メールを携帯電話５へ送信する。
サーバ７には、複数種類の処置指示メールが予め準備されている。この複数種類の処置指示メールは、血圧データの異常の程度に応じてグレードが分けられている。例えば、服用量を原則として４週間毎に増減させる降圧薬の治験の場合には、次の３種類のメールが用意される。
１）次回（４週目）から服用量を変更（増量または減量）する処置指示メール
２）早めに服用量を変更（増量または減量）する処置指示メール
３）至急来院することを指示する処置指示メール
異常血圧値処理部７ｂは、このように予め用意された複数種類の処置指示メールのうちの１つを、ドクター用コンピュータ８から送信された処置指示に基づき選択して、携帯電話５に送信する。このように、異常値が自動的に医師に連絡されるため、患者に安心感を与えることができる。
また患者は、自らの身体に生じた有害症状を示す有害症状情報を、携帯電話５によりサーバ７へ送信可能である。有害症状情報は、例えば頭痛、ふらつき、吐き気およびじんましんに関する情報等である。
サーバ７に設けられた有害症状処理部７ｃは、携帯電話５から送信された有害症状情報に基づいて、有害症状報告をドクター用コンピュータ８へ送信する。ドクター用コンピュータ８は、有害症状処理部７ｃから送信された有害症状報告に基づいて処置指示を有害症状処理部７ｃへ返信する。有害症状処理部７ｃは、ドクター用コンピュータ８からの処置指示に基づいて処置指示メールを携帯電話５へ送信する。
このデータ収集システムにおいて、データ転送装置３は乾電池によって構成される電源２１によって動作するので、取り扱いに便利である。データ転送装置３に接続すべき携帯電話は、広く普及して入手が容易であり、小型であるため取り扱いも便利である。従って、例えば、遠隔地の患者が血圧計１によって自らの血圧を毎日、１日に３回ないし４回測定し、その血圧計データをその夜に毎日１回インターネットに接続されたサーバ７へ送信することは容易である。あるいは、１日分をまとめてサーバ７へ送信することも容易である。
送信する際の操作手順としては、例えば、まず携帯電話５の電源を入れ、そしてデータ転送装置３の電源と血圧計１の電源とを入れる。次に、データ転送装置３と携帯電話５とを転送ケーブル４によって接続し、またデータ転送装置３と血圧計１とをシリアルケーブル２によって接続する。その後、データ転送装置３の押しボタンスイッチ１６を押すと、その日に測定した血圧データが血圧計１から携帯電話５およびインターネット６を経由してサーバ７へ自動的に送信される。
また、携帯電話５からインターネット６上をサーバ７に向かって転送される血圧計データおよびシリアルナンバーは、数字の羅列によって構成されているので、インターネット６上においてこれらのデータを傍受しても、患者のＩＤを知ることはできない。このため、患者のプライバシーを守ることができる。
医師は、サーバ転送されたシリアルナンバーおよび患者ＩＤを照合して、初めて患者を特定できる。上記シリアルナンバーは、各データ転送装置３に付与されているため、血圧計や携帯電話を識別するための手段は必要はない。例えば、血圧計や携帯電話にＩＤを入力する必要がなく、操作が簡便である。また、１台のデータ転送装置を１人の患者と対応させることができるので、血圧計や携帯電話は複数人で兼用可能である。さらに医師は、サーバ７に収集された血圧データを、ドクター用コンピュータ８によって即時に分析することができるので、血圧データに異常値があれば、ジャストタイムで認識することができる。このため、患者に対して速やかに治療等を開始することができる。
なお、上述の実施の形態では、データ転送装置３を血圧計１に接続する例を示したが、本発明はこれに限定されない。すなわち、取り扱うデータをシリアル通信によって転送可能な電気機器であれば、本実施の形態のデータ転送装置３に接続して、同様の効果を得ることが可能である。例えば、患者の脈拍を測定するための脈拍計、透析機器、血糖値計等の他の医療機器にデータ転送装置を接続してもよい。
また、電気の消費量を測定するための電気メータ、水道水の消費量を測定する水道メータ等にデータ転送装置３を接続してもよい。あるいは、物を生産するための生産設備にデータ転送装置３を接続し、生産設備の動作状態に関連するログデータを転送することもできる。あるいは、家電製品にデータ転送装置３を接続して、家電製品の動作状態を示すデータ、例えばバッテリー切れの有無を示すデータ等を転送することもできる。
【産業上の利用の可能性】
本発明のデータ収集システムによれば、遠隔地に設けられた血圧計等の装置から取得される血圧データ等の装置データを、インターネットを経由して簡便に収集することができる。
【図１】
2004104965.tif 000003
【図２】
2004104965.tif 000004
【図３】
2004104965.tif 000005
【図４】
2004104965.tif 000006
【図５】
2004104965.tif 000007
【図６】
2004104965.tif 000008
【図７】
2004104965.tif 000009
【図８】
2004104965.tif 000010
【国際調査報告】
2004104965.tif 000011
2004104965.tif 000012
2004104965.tif 000013
2004104965.tif 000014
2004104965.tif 000015
2004104965.tif 000016